(57)【要約】【課題】モータ定数を結線状態に応じて換えることなく線形性を保持したまま、電動機を最高効率条件にて常時駆動することが可能な電動機駆動制御装置を提供する。【解決手段】交直電力変換部２の直流電力からそれぞれ交流電圧を生成し、独立巻線型電動機３に出力する第１および第２のインバータ部４、５と、独立巻線型電動機３がＹ結線等価動作あるいはΔ結線等価動作するように第１および第２のインバータ部４、５を制御する制御手段とを備え、制御手段は、独立巻線型電動機３がＹ結線等価動作状態からΔ結線等価動作状態に移行させる際、独立巻線型電動機３の電機子巻線に発生する磁束のベクトルと第１および第２のインバータ部による合成電圧のベクトルとの位相が所定関係を維持するように第１および第２のインバータ部４、５の出力電圧を制御する。【選択図】図１
2008219956.tif 000002
【特許請求の範囲】
【請求項１】
交流電源の電力を直流電力に変換する交直電力変換部と、
該交直電力変換部の直流電力からそれぞれ交流電圧を生成し、独立巻線型電動機に出力する第１および第２のインバータ部と、
独立巻線型電動機がＹ結線等価動作あるいはΔ結線等価動作するように前記第１および第２のインバータ部を制御する制御手段とを備え、
前記制御手段は、独立巻線型電動機がＹ結線等価動作状態からΔ結線等価動作状態に移行させる際、独立巻線型電動機の電機子巻線に発生する磁束のベクトルと前記第１および第２のインバータ部による合成電圧のベクトルとの位相が所定関係を維持するように前記第１および第２のインバータ部の出力電圧を制御することを特徴とする電動機駆動制御装置。
【請求項２】
前記制御手段は、独立巻線型電動機の回転子の位置を検出することなく、当該独立巻線型電動機を駆動制御することを特徴とする請求項１記載の電動機駆動制御装置。
【請求項３】
前記制御手段は、前記独立巻線型電動機の電機子巻線に流れる電流のみを検出し、これに基づいて前記第１および第２のインバータ部の出力電圧を制御することを特徴とする請求項１又は２記載の電動機駆動制御装置。
【請求項４】
前記独立巻線型電動機の電機子巻線に流れる電流によって発生する磁束を検出し、これに基づいて電機子電流を検出する電流検出器を備えたことを特徴とする請求項３記載の電動機駆動制御装置。
【請求項５】
前記独立巻線型電動機の電機子巻線に流れる電流によって発生する誘導電流を検出し、これに基づいて電機子電流を検出する電流検出器を備えたことを特徴とする請求項４記載の電動機駆動制御装置。
【請求項６】
前記第１および第２のインバータ部の出力電圧と抵抗の両端電圧との関係から電機子電流を検出する電流検出器を備えたことを特徴とする請求項４記載の電動機駆動制御装置。
【請求項７】
前記制御手段は、前記第１のインバータ部の出力電圧が飽和するまで第２のインバータ部の出力をゼロ電圧とすることを特徴とする請求項１乃至６の何れかに記載の電動機駆動制御装置。
【請求項８】
前記制御手段は、前記第１のインバータ部の出力電圧が飽和し、第２のインバータ部の出力電圧が飽和するまで、第１のインバータ部の出力電圧を飽和した値で保持しつつ位相のみ変更し、第２のインバータ部の出力電圧の位相を保持したまま振幅のみ変化させることを特徴とする請求項１乃至６の何れかに記載の電動機駆動制御装置。
【請求項９】
前記制御手段は、前記第２のインバータ部の出力電圧が飽和したときに、前記第１および第２のインバータ部の位相と振幅とを保持したまま、出力周波数の３次高調波を重畳して電圧を出力することを特徴とする請求項１乃至６の何れかに記載の電動機駆動制御装置。
【請求項１０】
前記制御手段は、前記第２のインバータ部の出力電圧が飽和したときに、前記第１および第２のインバータ部の振幅を保持したまま、位相を変化させて電圧を出力することを特徴とする請求項１乃至６の何れかに記載の電動機駆動制御装置。
【請求項１１】
請求項１乃至１０の何れかに記載の電動機駆動制御装置により駆動制御される独立巻線型電動機であって、その回転子に永久磁石が用いられていることを特徴とする電動機。
【請求項１２】
電機子巻線がＹ結線等価変換によりＹ結線されたとき所定の回転数まで未到達であるが、Δ結線等価変換によりΔ結線されたときは所定の回転数まで回転可能としたことを特徴とする請求項１１記載の電動機。
【請求項１３】
前記回転子の永久磁石に希土類磁石が用いられていることを特徴とする請求項１１又は１２記載の電動機。
【請求項１４】
前記回転子の永久磁石は粉末が添加されて成形されていることを特徴とする１１又は１２記載の電動機。
【請求項１５】
スクロール方式の圧縮機に搭載されていることを特徴とする請求項１１乃至１４の何れかに記載の電動機。
【請求項１６】
オゾン破壊係数がゼロである冷媒を用いた圧縮機に搭載されていることを特徴とする請求項１１乃至１４の何れかに記載の電動機。
【発明の詳細な説明】
【技術分野】
【０００１】
本発明は、固定子巻線を独立巻線した電動機を駆動する電動機駆動制御装置に関するものである。
【背景技術】
【０００２】
従来、固定子巻線が独立巻線化された電動機は、電動機の巻線をＹ結線とΔ結線とを切替えることにより、電動機の運転範囲を拡大したり、適用する製品の出力トルクを増加させ、また、最高回転数を増加させたり、大容量化することを目的として使用されている。
【０００３】
この種の制御装置として、Ｙ結線とΔ結線を機械式の開閉装置にて切替えて、電動機をベクトル制御するものがある（例えば、特許文献１参照）。
【０００４】
また、インバータを２台用い、Ｙ結線とΔ結線をインバータの動作にて切替えるものもある（例えば、特許文献２参照）。
【０００５】
また、電動機の１次磁束と出力トルクとから、２台のインバータから出力される電圧ベクトルをテーブルから参照して電動機を駆動するものもある（例えば、特許文献３参照）。
【０００６】
また、２台のインバータの出力を合成して大容量化するとともに、低速トルク特性の優れた、低騒音、小型、経済的で高効率なものもある（例えば、特許文献４参照）。
【０００７】
さらに、Ｙ結線やΔ結線の電動機に流すことができない高調波成分を積極的に利用することで大きな出力を得るものもある（例えば、特許文献５参照）。
【０００８】
またさらに、昇圧回路を使用することなく、電圧不足を解消して電動機を高出力化を図ったものもある（例えば、特許文献６参照）。
【０００９】
さらに、第１と第２のエネルギー源に結合された２台のインバータにて電動機を駆動するものもある（例えば、特許文献７参照）。
【００１０】
【特許文献１】特公平７−９９９５８号公報
【特許文献２】特公平７−９９９５９号公報
【特許文献３】特公平６−１０１９５８号公報
【特許文献４】特許第３３５２１８２号公報
【特許文献５】特開２００６−１３６１４４号公報
【特許文献６】特開２００６−１４９１４５号公報
【特許文献７】特開２００６−２３８６８６号公報
【発明の開示】
【発明が解決しようとする課題】
【００１１】
特許文献１に記載の技術の場合、Δ結線とＹ結線を切替えるとき、電動機が停止している必要がある、また、電動機が特許文献１に示すようにすべりのある誘導電動機である必要がある。さらに、結線切替え時に、ベクトル制御における制御定数、例えば、モータ定数や制御ゲインなどを結線に応じて切替える必要がある。
【００１２】
特許文献２に示す技術の場合、メカニカルな巻線切替え機構無しに結線を切替え可能となるが、特許文献１と同様に結線切替え時に、ベクトル制御における制御定数、例えば、モータ定数や制御ゲインなどを結線に応じて切替える必要がある。
【００１３】
特許文献３に示す技術は、結線切替え時に、ベクトル制御における制御定数を結線に応じて切替える必要がなくなる制御方式であるが、電動機の１次磁束と出力トルクの大きさに応じたヒステリシスコンパレータ出力に従い、スイッチングテーブルから得られる電圧ベクトルを出力するというものである。制御定数がなくなる一方で、テーブルが非常に大きく、かつ、テーブル選択の条件が多岐にわたるため、制御が複雑化している。
【００１４】
特許文献４には、２台のインバータを逆極性で出力することにより、出力電圧を増加する技術が示されている。さらに、出力電圧の合成理論が示されている（６頁、図７参照）。しかし、電動機の回転子位置との関係は全く記載されておらず、また、回転子位置はパルス式速度計（ＰＧ）から得るようになっている。
【００１５】
特許文献５、６には、２台のインバータにて高調波成分を基本波に重畳する、または、２台を逆位相で駆動するように出力することにより、出力を増加する技術が示されている。また、Ｙ結線を基準にした従来の電動機やΔ結線を基準にした従来の電動機に対し、出力増加に対しての技術が示されているが、Ｙ結線およびΔ結線の両者の利点を双方利用するべく切替えて性能向上する制御については示されていない。さらには、回転子位置は位相検知部を用いており、位置センサレスの技術については示されていない。
【００１６】
特許文献７には、２台のインバータの三相対称性を考慮した１相に特化した概念図（特許文献７の図２）が示されている。しかし、制御上のｄｑ軸を２台のインバータ分だけ有しており、１つの電動機を２つの制御器にて駆動することと同義となり、制御が複雑化する。さらに、ＡＣモータのようなすべりのある電動機を対象としている。
【００１７】
本発明は、上記のような課題を解決するためになされたもので、第１の目的はＹ結線とΔ結線の両方の利点を有するべく、Ｙ結線状態とΔ結線状態との中間の状態の運転、および過変調運転を２台のインバータ部による制御にてＹ結線のごとく電動機制御を実現することにより、モータ定数を結線状態に応じて換えることなく線形性を保持したまま、電動機を最高効率条件にて常時駆動することが可能な電動機駆動制御装置を得るものである。
【００１８】
第２の目的はすべりのない同期電動機、例えば、永久磁石同期電動機などまで応用可能な電動機駆動制御装置を得るものである。
【００１９】
また、第３の目的は回転子位置を検出することなく電動機を駆動する位置センサレス駆動を実現することが可能な電動機駆動制御装置を得るものである。
【課題を解決するための手段】
【００２０】
本発明に係る電動機駆動制御装置は、交流電源の電力を直流電力に変換する交直電力変換部と、交直電力変換部の直流電力からそれぞれ交流電圧を生成し、独立巻線型電動機に出力する第１および第２のインバータ部と、独立巻線型電動機がＹ結線等価動作あるいはΔ結線等価動作するように第１および第２のインバータ部を制御する制御手段とを備え、制御手段は、独立巻線型電動機がＹ結線等価動作状態からΔ結線等価動作状態に移行させる際、独立巻線型電動機の電機子巻線に発生する磁束のベクトルと第１および第２のインバータ部による合成電圧のベクトルとの位相が所定関係を維持するように第１および第２のインバータ部の出力電圧を制御する。
【発明の効果】
【００２１】
本発明においては、インバータ１台構成における正弦波出力に対し、２倍の電圧まで高調波歪みなく電圧出力でき、これにより、独立巻線化せずに一方の端子を結線した場合の２倍の出力電圧まで拡大でき、出力電圧の増加分だけ高速回転化、高出力化を実現できる。
【００２２】
また、低速回転時には低速回転時の効率が高いモータ、高速回転時には高速回転可能なモータにモータ特性をインバータ２台で円滑に変化させることができ、低速回転時の効率を大幅に向上させることができる。
【００２３】
また、電機子の固定子コイル軸と合成出力電圧軸の位相を一意になるよう制御しているため、制御器におけるモータ定数は不変で良く、位置センサレス制御も直線性を失うことなく実現でき、安定性した制御を実現できる。さらに、従来の制御ブロックを簡単に適用できる効果も奏する。
【００２４】
さらに、電動機を停止することなく、円滑に結線切替えを実現でき、結線状態の中間状態での効率も改善することができる。
【発明を実施するための最良の形態】
【００２５】
図１は本発明の実施の形態に係る電動機駆動制御装置の構成を示す回路図である。
本実施の形態の電動機駆動制御装置は、交流電源１から供給される交流電力を直流電力へ変換する交直電力変換部２と、独立巻線型電動機３の結線（Ｙ結線、Δ結線）を等価変換して駆動制御する２台のインバータ部４、５と、独立巻線型電動機３のコイルに流れる電流を検出する電流検出器６と、交直電力変換部２の負側母線に挿入れた直流シャント抵抗７ａ〜７ｃと、２台のインバータ部４、５を制御する制御手段（図示せず）とで構成されている。前述した独立巻線型電動機３は、固定子コイルが結線されていない電動機で、固定子コイルの両端を入力端としている。
【００２６】
なお、本実施の形態では、独立巻線型電動機３の各相のコイルをａ相、ｂ相、ｃ相コイルとし、各コイルに流れる電流をｉａ、ｉｂ、ｉｃとして説明する。さらに、図２に示すように、Δ結線およびＹ結線された電動機を従来のインバータ１台構成にて駆動する場合におけるインバータからの出力相電流をｉｕ、ｉｖ、ｉｗとして説明する。
【００２７】
図２（ａ）はΔ結線であり、図中に示すように、インバータからの出力相電流ｉｕ、ｉｖ、ｉｗとコイル電流ｉａ、ｉｂ、ｉｃとの関係は、出力相電流≠コイル電流である。また、図２（ｂ）はＹ結線であり、この場合はインバータからの出力相電流とコイル電流の関係は、出力相電流＝コイル電流となる。従って、Δ結線の場合、Ｙ結線に等価換算したモータ定数とすることで電動機を駆動することが一般的である。ちなみに、Δ結線のＬΔ をＹ結線に等価変換した場合、ＬY ＝ＬΔ ／３で表される。また、磁石による逆起電圧は１／√３倍となる。
【００２８】
本実施の形態においては、独立巻線化された電動機３であるため、検出可能な電流はコイル電流ｉａ、ｉｂ、ｉｃであり、Ｙ結線の電動機の応用展開として考える。独立巻線型電動機３を２台のインバータ部４、５でＹ結線と等価動作する場合、インバータ部５を変調率＝０（出力電圧＝０）にて動作させる。Δ結線と等価動作する場合は、インバータ部５をインバータ部４に対し１２０度の遅れ位相でインバータ部４と同じ変調率にて動作させれば良い。この制御は、従来技術として引用している特許文献２の第３頁に詳しく記載されている。
【００２９】
まず、Δ結線と等価動作している場合について図３（ａ）を用いて説明する。図１に示すインバータ部４とインバータ部５は電圧源として表現すると、図中に示すような対称三相Ｙ結線の電圧源となる。ここで、電圧源のａ１、ｂ１、ｃ１とａ２、ｂ２、ｃ２は図１と同じ符号を意味する。Δ結線の場合、図２（ａ）で説明したように、コイル電流ｉａ、ｉｂ、ｉｃとインバータからの出力相電流ｉｕ、ｉｖ、ｉｗとの関係は、コイル電流≠出力相電流となるが、インバータ２台構成の場合、図３（ａ）に示すようにコイル電流＝出力相電流となっている。
【００３０】
よって、インバータ２台構成でのΔ結線等価動作の場合と、インバータ１台によるΔ結線動作の場合とでは、インバータから出力される電流の振幅、位相が異なり、インバータ２台構成の場合では、インバータ１台構成に対し、振幅が１／√３となり、位相が３０度進みとなる。
【００３１】
そこで、従来のΔ結線等価動作は、インバータ１台構成での出力相電流ｉｕがコイル電流ｉａ−ｉｃと一致することを利用して、電動機制御の検出電流をｉｕ＝ｉａ−ｉｃとして演算し、Ｙ結線に等価換算されたモータ定数にて制御している。
【００３２】
しかし、ｉｕ＝ｉａ−ｉｃと演算してΔ結線等価動作を行う場合、Ｙ結線状態からΔ結線状態への移行途中の状態は制御できないことを意味する。本実施の形態は、Ｙ結線状態からΔ結線状態への移行途中の状態だけでなく、Δ結線等価動作を含め、全ての動作をＹ結線と等価的に模擬した独立巻線型電動機３を駆動するインバータ２台構成の電動機駆動制御装置である。
【００３３】
図３（ａ）の等価回路より、ａ相コイルにはインバータ部４による相電圧ａ１とインバータ部５による相電圧ａ２との差の電圧が印加され、このａ１−ａ２をａ１２とすると、ａ１２はａ１とａ２との線間電圧とみなせる。また、ｂ相コイルおよびｃ相コイルも同様であり、図３（ａ）におけるインバータ部４とインバータ部５の電圧源を新たに線間電圧と置き換えた場合の等価回路図を図３（ｂ）に示す。この図において、インバータ部４とインバータ部５の合成電圧ａ１２、ｂ１２、ｃ１２のうち、黒点にて示した端子側を仮想ＧＮＤと仮定すれば、従来のＹ結線の電圧源とＹ結線電動機と等価的に置き換えることができる。
【００３４】
これを電圧ベクトル図にて表すと図４のようになる。図４（ａ）はＹ結線等価動作状態を示す。インバータ部５の電圧ベクトルａ２、ｂ２、ｃ２は、前述したように変調率＝０であるため、白点にて示す電圧ベクトル＝ゼロとなり、原点に存在する。各相コイルのベクトル方向と同一方向の合成電圧ベクトルａ１２、ｂ１２、ｃ１２を出力すれば良いので、インバータ部４から出力されている電圧ベクトルａ１、ｂ１、ｃ１は、各相コイルのベクトル軸上に存在する。なお、図４（ａ）に示す円は変調率＝１を示し、インバータ部４から出力される電圧は変調率＝１の状態を示している。この変調率の定義については、以下に後述する。
【００３５】
図４（ｂ）がΔ結線等価動作状態を示す電圧ベクトル図である。インバータ部５の出力電圧は、インバータ部４より１２０度遅れ位相にて出力され、また、図中に矢印にて示すインバータ部４、５の合成電圧ベクトルａ１２、ｂ１２、ｃ１２が各相コイルのベクトル軸方向に向くようにすると、インバータ部４の電圧ベクトルａ１、ｂ１、ｃ１は各相コイルに対し３０度の遅れ位相、インバータ部５の電圧ベクトルａ２、ｂ２、ｃ２は各相コイルに対し１５０度の遅れ位相にて出力される。
【００３６】
図示していないが、図４（ｂ）において、電圧ベクトルａ１、ｃ２がａ相コイル軸上、電圧ベクトルｂ１、ａ２がｂ相コイル軸上、電圧ベクトルｃ１、ｂ２がｃ相コイル軸上にあるとすると、合成電圧ベクトルａ１２、ｂ１２、ｃ１２による正三角形の頂点が各相コイルのベクトル軸上となり、三角形の辺とコイル軸が並行とならないことは明らかである。
【００３７】
そこで、図４（ａ）、（ｂ）より、Ｙ結線等価動作状態からΔ結線等価動作状態への移行途中の動作状態について考える。図４（ａ）が初期状態とし、（ｂ）のΔ結線等価動作状態になるまで、インバータ部４、５の出力電圧は互いに同心円上の軌跡を描く。さらに、インバータ部４、５の合成電圧ベクトルａ１２、ｂ１２、ｃ１２は、各相コイルのベクトル方向と並行移動する。
【００３８】
この２つ事柄より、インバータ部４の電圧ベクトルａ１、ｂ１、ｃ１は、図４（ｃ）に示すように変調率＝１の円周上を移動する。また、インバータ部５の電圧ベクトルａ２、ｂ２、ｃ２は、各相コイルのベクトル軸から３０度遅れにて大きくなる同心円の点（図中の点線上）を移動する。これによりＹ結線等価動作状態とΔ結線等価動作状態との中間状態となる電圧ベクトルがベクトル図として導かれる。
【００３９】
図４（ｃ）から、インバータ部４、５の合成電圧ベクトルａ１２、ｂ１２、ｃ１２が、固定子コイルのベクトル、言い換えると、固定子の電機子磁束のベクトルとの位相が所定関係を保持するように２つのインバータ部４、５の出力電圧を制御することにより、インバータ１台構成での電動機制御のベクトル制御部分を代えることなく、インバータ２台構成化することができる。
【００４０】
以上のように、インバータ２台構成としても、２台のインバータ部４、５から出力される電圧の合成電圧軸と固定子コイルの磁束軸との位相関係を所定値に保持すれば、インバータ２台による動作の全ての状態をＹ結線と等価回路として考えられ、従来の電動機駆動制御部を何ら変更することなく、簡単に独立巻線化した電動機３を駆動することが可能となる。
【００４１】
また、図４（ａ）→（ｃ）→（ｂ）までの状態遷移においては、点線で示す大きい円を出力最大とし、それを変調率＝１としているので、インバータ１台構成の場合、変調率＝１を超えると、出力に高調波歪みが発生するが、インバータ２台構成の場合、変調率＝√３まで拡大しても高調波歪みなく、電圧を出力できる（図４（ａ）〜（ｃ）参照）。
【００４２】
さらに、図４（ｃ）の動作状態が、図４（ａ）のＹ結線等価動作状態と図４（ｂ）のΔ結線等価動作状態との間を介しているため、結線切替えが円滑に実施でき、一旦、独立巻線型電動機３を停止してから再起動することなく、運転を継続したまま結線切替えが可能になっている。
【００４３】
なお、本実施の形態では、各相コイルのベクトル軸と合成電圧ベクトルａ１２、ｂ１２、ｃ１２が同一方向として説明したが、本来、固定子の電機子磁束はコイルに流れる電流に直交して発生する。電動機は誘導負荷であるため、力率が常時１とはならないため、各相コイルのベクトル軸と合成電圧ベクトルａ１２、ｂ１２、ｃ１２が同一方向であっても、電圧と電流のベクトルの方向が力率≠１の時、不一致し、電機子の磁束ベクトルと電圧ベクトルが直交するとは限らなくなる。ただし、無効電力が増加するため、概ね力率≒１にて動作させることから合成電圧ベクトルａ１２、ｂ１２、ｃ１２と各相コイルのベクトル軸とを同一方向に制御すれば、磁束ベクトルと合成電圧ベクトルａ１２、ｂ１２、ｃ１２がほぼ直交の関係で制御でき、所定の位相関係を保持できる。
【００４４】
また、演算により磁束を算出し、その磁束ベクトルと合成電圧ベクトルａ１２、ｂ１２、ｃ１２の方向を直交関係にして制御しても良い。さらに、直交関係でなくとも所定の位相関係を保持していればよく、その場合には直交関係を保持しているより無効電力が増加する。また、磁束を算出するのではなく、計測できればそれに越したことがないことは言うまでもない。さらに、合成電圧ベクトルａ１２、ｂ１２、ｃ１２を検出する検出回路を追加してもよく、この場合は、インバータ部４、５における短絡防止時間や半導体素子のオン電圧バラツキなどの誤差を低減でき、さらに、精度の良いベクトルの位相関係を維持できる。
【００４５】
また、独立巻線型電動機３を永久磁石同期電動機とした場合、回転子の位置に応じて固定子に通電して、固定子から発生する磁束を制御する必要がある。そのため、従来の技術では、回転子の位置検出器が必要であった。また、すべりのある誘導電動機であれば、Ｙ結線等価動作状態からΔ結線等価動作状態への移行時の急峻な変動はすべりが吸収でき、電動機の動作を継続できた。
【００４６】
本実施の形態では、インバータ部４、５から出力される電圧の合成電圧を固定子座標軸、一般的には、制御上の静止座標軸（「αβ軸」と称す）に一致させるように電動機制御を行うことで、従来の結線された永久磁石同期電動機とインバータ１台構成と同じ回転子の位置センサレス制御ブロックの電圧出力部のみの変更だけで、簡単に独立巻線型電動機３の位置センサレス制御をインバータ２台構成への拡張を実現できる。これにより、複雑な演算を必要とする位置センサレス制御を必要以上に複雑化することなく、既存の信頼性の高い動作を確約する位置センサレス制御を簡単に適用することができ、位置センサレスが必須となる用途へ高効率な永久磁石同期電動機に適用して製品としての高効率化を実現できる。
【００４７】
従来の独立巻線型ではない三相結線された電動機１１とインバータ部１２の１台構成による位置センサレス制御部１３の一例を図５に示す。位置センサレス制御部１３内の出力電圧算出部１４から出力された２軸電圧（ｖｄ、ｖｑ）を３相電圧（ｖｕｖｗ）へ座標変換する座標変換部１５のみ変更することで本実施の形態は位置センサレス制御を実現できる。なお、図５における座標変換部１５は、従来の三相結線電動機１１とインバータ部１２の１台構成の場合、式（１）で表される。
【００４８】
【数１】
2008219956.tif 000003
【００４９】
独立巻線化した電動機３をインバータ部４、５にて駆動する場合、図５における座標変換部１５を図６に示すブロックに変更することだけで、位置センサレス制御対応可能なインバータ２台構成の駆動制御装置が得られる。
【００５０】
ここで、本装置の制御手段について図６に示すブロック図を用いて説明をする。図５に示す出力電圧算出部１４からの２軸電圧（ｖｄ、ｖｑ）を２台のインバータ部４、５からの出力に分配し、独立巻線型電動機３へ供給する交流電力の生成を行うのが出力電圧生成部２１である。この出力電圧生成部２１がインバータ１台構成と２台構成との相違点である。次に、２軸電圧（ｖｄ、ｖｑ）をインバータ部４、５に分配するのが、変調率分配器２２である。出力電圧算出部１４からの指令変調率をｖｋとおくと、ｖｋはｖｄとｖｑによるノルム値で表されるので、図７に示すとおり、電圧ベクトルによる正六角形に内接する円の半径を変調率ｖｋ＝１と定義する。変調率分配器２２は、入力される２軸電圧（ｖｄ、ｖｑ）から指令変調率ｖｋを算出し、インバータ部４への指令電圧（ｖｄ１、ｖｑ１）とインバータ部５への指令電圧（ｖｄ２、ｖｑ２）を算出する。インバータ部４の変調率をｖｋ１、インバータ部５の変調率をｖｋ２とすると、ｖｄ１、ｖｑ１、ｖｄ２、ｖｑ２は式（２）に示すように与えられる。
【００５１】
【数２】
2008219956.tif 000004
【００５２】
指令変調率ｖｋが１以下の場合であれば、図４（ａ）に示すようにＹ結線等価動作状態で出力できる。また、永久磁石同期電動機の場合は、Ｙ結線等価動作の方が少ない電流で同じトルクを出力できるため、Ｙ結線等価動作状態が最も損失の少なく高効率の動作方法である。そこで、ｖｋ≦１までは図４（ａ）の状態であるＹ結線等価動作状態で駆動するよう変調率分配器２２は作用する。
【００５３】
そのため、インバータ部４への変調率ｖｋ１は指令変調率ｖｋと等しく、インバータ部５への変調率ｖｋ２＝０である。また、位相補償器２３からは補償する位相はθ１＝０である。また、インバータ部５への変調率ｖｋ２＝０である故に、θ２は幾つであっても出力が０となる。よって、インバータ部４、５のための座標変換部２４ａ、２４ｂは、出力電圧生成部２１に入力された位相角θにて回転座標変換が行われる。座標変換部２４ａ、２４ｂも座標変換部１５と同様に、式（１）に基づいて座標変換される。
【００５４】
次に、ｖｋ＞１となると、Ｙ結線等価動作状態では出力電圧歪みが発生し始めるため、Ｙ結線等価動作状態からΔ結線等価動作状態への途中動作へ移行し始める。これは図４（ｃ）に示す状態である。この時、インバータ部４の変調率ｖｋ１は、ｖｋ１＝１を保持し、インバータ部５への出力ｖｋ２を０から徐々に増加させていくことで、指令変調率ｖｋが１を超える出力を可能にする。このときのｖｋ２はｖｋにより、三角形の幾何学的に求められ、式（３）に示すように与えられる。
【００５５】
【数３】
2008219956.tif 000005
【００５６】
よって、インバータ部４への変調率ｖｋ１＝１、式（３）によるインバータ部５への変調率ｖｋ２に従い、変調率分配器２２から式（２）に示すインバータ２台分のｄｑ軸電圧が出力され、それぞれの座標変換部２４ａ、２４ｂに入力される。
【００５７】
さて、回転角であるが、本実施の形態は２台のインバータ４、５から出力される電圧の合成電圧軸と固定子コイルの磁束軸との位相関係を一定にすることで電動機を駆動する。そこで、θ２はΔ結線等価動作状態による遅れ角＝１２０度に、合成電圧軸のベクトルが固定子磁束軸のベクトルとの位相関係を一致させるための遅れ角＝３０度を加算した１５０度遅れにて座標変換を行う。
【００５８】
遅れ方向を負と定義しているので、図６においてθ２＝１５０度となり、１＜ｖｋ≦√３まではθ２はｖｋによらず一定値となる。そこで、ｖｋ≦１までの範囲でもθ２＝１５０度とおけば、０≦ｖｋ≦√３の範囲においてもθ２はｖｋによらず一定値にできることを付け加えておく。
【００５９】
さらに、θ１は、ｖｋ＝１のとき、言い換えるとＹ結線等価動作状態（図４（ａ））の時にθ１＝０となり、ｖｋ＝√３のとき、言い換えるとΔ結線等価動作状態（図４（ｂ））の時にθ１＝３０度となる。１＜ｖｋ≦√３の範囲でのインバータ部４は、ｖｋ１＝１の円軌跡上を動作する。よって、θ１も三角形の幾何学的に求めることができ、式（４）で与えられる。
【００６０】
【数４】
2008219956.tif 000006
【００６１】
よって、インバータ部４の座標変換部２４ａには、出力電圧生成部２１に入力された位相角θから式（４）で与えられたθ１を減算した角度θ−θ１で回転座標変換を行い、インバータ部５の座標変換部２４ｂは、位相角θからθ２（＝１５０度）を減算した角度θ−θ２で回転座標変換を行う。
【００６２】
次に、√３＜ｖｋ≦２の範囲について説明する。この範囲では、独立巻線型電動機３に印加する電圧を歪ませること無く出力できる２通りの方法がある。そこで、２通りの手法について、順に説明する。
【００６３】
まず、手法１について説明する。ｖｋ＝√３のときΔ結線等価動作状態と同じ動作状態となる。従って、ｖｋ≧√３のとき、インバータ部４、５から出力される各々の電圧源（ａ１〜ｃ１とａ２〜ｃ２）は３次高調波を電圧に印加しても、その線間電圧（ａ１２、ｂ１２、ｃ１２）には３次高調波が現れない。
【００６４】
これは、Δ結線であれば、図２（ａ）を見ればわかるように、三相コイルの中性点がインバータ部４、５に接続されず、インバータ部４、５に対して浮いた状態となっている。そのため、３次高調波重畳できる。しかし、図４（ａ）、（ｃ）の状態はΔ結線等価動作状態ではないため、３次高調波重畳すると、コイルに流れる電流に３次高調波が発生する。そのため、３次高調波重畳はしない方が望ましい。
【００６５】
よって、３次高調波重畳と呼ばれる従来手法を用いて出力電圧実効値を増加させることができる。図８に３次高調波重畳した波形とその基本波の波形を示す。基本波の振幅に対し、３次高調波重畳すると０．８６６（＝√３／２）にピークの抑制ができ、出力電圧を増加でき、変調率が１以上でも電圧の歪みなく出力可能となる。
【００６６】
よって、図７の正六角形の頂点に外接する外接円の円弧まで出力可能となり、図４（ｄ）のベクトル図に示すとおり、出力最大となる円が大きくなる。本実施の形態では、図４（ｄ）の内側の円の半径を１としており、この場合、外側の円の半径は２／√３（＝１．１５５）となる。従って、図４（ｄ）におけるΔ結線等価動作状態での合成電圧ベクトルａ１２、ｂ１２、ｃ１２は、ｖｋ＝√３のとき√３、ｖｋ＝２のとき２と等価となり、直線性を持つことがわかる。
【００６７】
図４（ｄ）のベクトル図より、固定子コイル軸ａ、ｂ、ｃと平行になるように合成電圧ベクトルａ１２、ｂ１２、ｃ１２を生成し、Δ結線等価動作状態を保持して合成電圧ベクトルａ１２、ｂ１２、ｃ１２を拡大することから、インバータ部４、５の変調率をｖｋ１＝ｖｋ２＝ｖｋ／√３とし、位相補償器２３からの補償位相θ１＝３０度、θ２＝１５０度を一定に保つことで、独立巻線型電動機３をセンサレス駆動が可能となる。３次高調波重畳を用いることにより、√３＜ｖｋ≦２の範囲であっても、Δ結線等価動作状態にて出力電圧を歪ませること無く動作でき、出力電圧を増加できる分、電流を低減して高効率に駆動することができる。
【００６８】
次に、手法２について説明する。手法２はインバータ部４、５間の電圧位相関係を制御することにより出力電圧を増加させる手法であり、図４のベクトル図を用いて説明する。
【００６９】
指令変調率ｖｋ＝√３のとき、図４（ｂ）の状態であり、この状態から、今度は図４（ｅ）の状態となるようインバータ部４、５の出力位相を変化させる。図４（ｅ）は、インバータ部４の補償位相θ１を０度になる方向に移行させ、インバータ部５の補償位相θ２を１８０度の遅れ位相となる方向に移行させる。図４（ｅ）の状態を経て、特許文献４に示されるように互いに逆位相の出力となるような図４（ｆ）に示す状態まで、インバータ部４、５の出力電圧の軌跡を描かせると、変調率＝２まで拡大しても高調波歪みなく、電圧を出力できる。
【００７０】
インバータ部４の変調率ｖｋ１は、１＜ｖｋ≦√３のときと同様にｖｋ１＝１を保持し続ける。インバータ部５の変調率ｖｋ２は、ｖｋ＝√３のとき、ｖｋ２＝１に達するため、√３＜ｖｋ≦２の範囲では、ｖｋ２も変調率＝１（ｖｋ２＝１）を保持し続ける。よって、変調率分配器２２は、インバータ部４への変調率Ｖｋ１＝１、インバータ部５への変調率ｖｋ２＝１を保持し、ｄｑ軸電圧を出力する。
【００７１】
さらに、手法２での位相補償器２３の動作について説明する。ｖｋ＝√３のとき、θ１＝３０度、θ２＝１５０度であることは図４（ｂ）よりわかる。この状態から、図４（ｅ）から（ｆ）への状態への移行により、θ１は０度の方向へ向かい、θ２は１８０度の方向へ向かうことが図４（ｅ）、（ｆ）よりわかる。従って、三角形の幾何学的にθ１、θ２はｖｋを用いた式（５）（６）として与えられる。
【００７２】
【数５】
2008219956.tif 000007
【００７３】
【数６】
2008219956.tif 000008
【００７４】
本実施の形態の手法２では、Ｙ結線等価動作状態の図４（ａ）→図４（ｃ）→図４（ｂ）のΔ結線等価動作状態を経由して、図４（ｅ）→図４（ｆ）の動作状態まで移行する。しかし、特許文献４では図４（ａ）の状態から図４（ｇ）の動作状態を経て、（ｅ）の動作状態へ移行することが示されている。特許文献４に示すように、ｖｋ＞１と変調率が１を超えた場合に、単純に逆方向にａ２、ｂ２、ｃ２を伸ばしていくことでも実現できる。しかし、単純に逆方向へ出力合成電圧を大きくしていくよりも、Δ結線等価動作状態を経由してから逆方向まで拡大する方が、きめ細やかな出力電圧の制御ができ、本実施の形態では、出力合成電圧を制御する上で位置センサレス駆動に適している。更に言えば、低速から高速、その中間速度においても適切な出力電圧で独立巻線型電動機３を駆動することができるので、低速から高速までの広い範囲で高効率に駆動できる。
【００７５】
以上のように、√３＜ｖｋ≦２の範囲におけるインバータ２台構成での出力電圧制御について、２つの手法を記述した。この手法を用いれば、固定子コイル軸と合成電圧軸との位相関係を一意に保ちながら独立巻線型電動機３を制御でき、永久磁石同期電動機であれば位置センサレス駆動を容易に実現できる。さらに広い回転範囲において高い効率を維持して駆動することも可能となる。
【００７６】
次に、指令変調率ｖｋ＞２のｖｋが大きい範囲について説明する。指令変調率ｖｋが大きくなると、コイルとコイルとの間の線間出力となる合成電圧は、図９に示すように電圧を歪ませた実線で示す台形形状の波形となる。この合成電圧の基本波成分は、図９の点線で示すように正弦波状になり、１以上の振幅となる出力が可能となる。この状態を過変調出力と呼び、過変調出力にて電動機を駆動することを過変調運転と称す。本実施の形態ではｖｋ≦２まで、出力する線間電圧波形を歪ませることなく出力可能であるが、これ以上の変調率ｖｋを出力するには、過変調運転が必要となる。
【００７７】
前述の手法１のΔ結線等価動作状態にて指令変調率ｖｋ＞２まで拡大した場合における過変調運転についてまず説明する。
【００７８】
過変調運転時は、過変調になる直前のθ１（＝３０度）、θ２（＝１５０度）を保持するよう位相補償器２３は出力し、変調率分配器２２は、インバータ部４、５の変調率ｖｋ１＝ｖｋ２＝ｖｋ／√３となるよう１：１に分配する。さらに、Δ結線等価動作状態は線間電圧の出力になるため３次高調波重畳しても出力電圧が直線性を失うことなく、制御でき全く問題ない。そのため、ｖｋ＞２の動作領域でも３次高調波重畳し過変調運転しても１台構成のインバータと何ら差のない過変調運転を実現できる。
【００７９】
次に、前述の手法２について説明する。ｖｋ＞２の過変調運転時は、位相補償器２３はｖｋ＝２の時の位相角θ１＝０度、θ２＝１８０度を保持し続ける。変調率分配器２２は、インバータ部４、５の変調率がｖｋ１＝ｖｋ２＝ｖｋ／２となるよう１：１に分配する。これにより、固定子コイル軸と合成電圧軸との位相関係を一意に保ちながら独立巻線型電動機３を制御できる。
【００８０】
図４（ｆ）の状態にて過変調運転した場合は、手法１と違い、コイルに流れる電流（ｉａ、ｉｂ、ｉｃ）に３次高調波電流が流れる。これは、図４（ｆ）の状態がΔ結線等価状態と違い、独立巻線型電動機３の中性点がインバータ部４、５と干渉するためである。なお、Δ結線等価状態の場合、独立巻線型電動機３の中性点はインバータ部４、５の出力電圧に影響がないことは前述の通りである。
【００８１】
しかし、手法２において、図４（ｆ）の状態で３次高調波重畳すると、２＜ｖｋ≦２．３０９の範囲においても過変調運転とならない動作状態を作り出せる。しかしながら、前述のとおり、図４（ｆ）の状態で３次高調波重畳すると、インバータ部４、５の干渉により、線間出力電圧の３次成分が相殺されず、コイルには３次高調波電流を含む電流が流れる。そのため、トルクリップルの増大や独立巻線型電動機３から発生する電磁音の懸念があることから、過変調運転まで運転範囲を使用する用途の場合には、前述の手法１の方が望ましく、特許文献４に記載の技術は過変調運転までの運転範囲には不適といえ、過変調運転まで考慮すると本実施の形態の効果が理解できる。
【００８２】
以上のように、手法１、２に係わらず、指令変調率ｖｋ＞√３の領域においては、インバータ部４、５には、ｖｋ１：ｖｋ２＝１：１となるよう変調率を分配するよう記載しているが、ｖｋ＝ｖｋ１＋ｖｋ２となるように変調率を分配しても何ら上記と同様の効果を有することは言うまでも無い。ただし、１：１に分配しない場合、固定子コイル軸と合成電圧軸との位相関係を一意に保ちながら合成電圧を出力するよう位相補償器２３が補償する位相角を出力することとなり、前述の一定値、もしくは式（５）、（６）での補償位相角より演算が多少複雑となる。
【００８３】
例えば、１：１に分配すると、ｖｋ１＝ｖｋ２となるため、インバータ部４、５に流れる電流値は同じになるので、同じ電流容量の半導体素子もしくは半導体モジュールが使用でき、インバータ主素子からの放熱設計は同じ設計ができ、信頼性の高い電動機駆動制御装置を提供できる。
【００８４】
逆に、電流が大きい製品など、片側のインバータ部の電流容量を小さく抑えた方が安価な構成になる場合には、インバータ部４、５の電流容量の比率に応じて分配しても良く、前述と同等の効果を有することはいうまでもない。
【００８５】
さらに、インバータ部４、５の電流容量だけに限らず、過変調運転時の途中から分配比率を変えても何ら差し支えない。
【００８６】
以上の出力電圧制御についてまとめると下記の表１に示すようになり、式２にてインバータ部４、５のｄｑ軸電圧、図６のブロック図に示すとおりの回転角と式１から出力する２つのインバータ部４、５から出力される交流電圧が求められる。表１において手法２のｖｋ＞２では、３次高調波重畳を有りとしているが、コイルに流れる３次高調波電流が多くなるため、無しであっても同等の効果を有し、更に言えば、有りの場合より、コイルに流れる電流の３次高調波を低減できる。
【００８７】
【表１】
2008219956.tif 000009
【００８８】
以上より、インバータ２台による独立巻線型電動機３の構成は、インバータ１台構成における正弦波出力に対し、２倍の電圧まで高調波歪みなく電圧出力できる。これにより、独立巻線化せずに一方の端子を結線した場合の２倍の出力電圧まで拡大でき、出力電圧増加分だけ、高速回転化、高出力化を実現できる。更に言えば、出力電圧の増加分だけ高速回転でき、独立巻線型電動機３に流れる電流を低減し、広い回転範囲において高効率に駆動できる。
【００８９】
次に、このようなＹ結線とΔ結線、その中間状態を作り出した場合の効率改善効果について説明する。永久磁石電動機において、電機子巻線の仕様に応じてモータ定数が変化するが、結線形状によってにモータ定数は変化する。従来のＹ結線のモータ定数（巻数＝Ｎターン）に対するΔ結線をＹ結線に等価変換したモータ定数、それと同一巻線仕様にしたＹ結線モータの場合のモータ定数を表２に示す。
【００９０】
【表２】
2008219956.tif 000010
【００９１】
表２のモータ定数より、Ｎターン仕様のＹ結線モータを√３倍の巻数に増加したΔ結線モータは、従来品とモータ定数は同じとなる。そのため、動作する回転数範囲も同じとなり、モータ効率も同じとなる。一方、Ｎターン仕様のＹ結線モータを√３倍の巻数に増加したＹ結線モータは、従来品に対し、逆起電圧は√３倍、抵抗やインダクタンスは３倍になる。そのため、巻数を従来品の√３倍に増加したＹ結線モータの場合、磁石による逆起電圧が大きいため、少ない電流でトルクを出力でき、低速回転での効率は向上するが、逆起電圧が大きいため、高速回転側では弱め界磁運転となり、損失が大きく動作する回転数範囲は狭くなる。
【００９２】
以上の永久磁石電動機のモータ効率を図１０に示す。図１０には従来品のＹ結線モータの効率が記載されていないが、これはΔ結線モータと同効率となるためである。従って、巻数を√３倍にしてΔ結線にした場合、従来品と効率を変えることなく駆動可能となる。
【００９３】
そこで、巻数増加した場合のＹ結線モータの回転数範囲が狭くなる欠点は、結線を切替えることで解決し、低速回転時は巻数増加したＹ結線モータの高効率である利点を利用する。
【００９４】
本実施の形態では、低速回転時にはＹ結線等価動作状態で動作させ、Ｙ結線で効率が低下する領域より、Ｙ結線等価動作状態からΔ結線等価動作状態へ状態遷移させることができる。よって、中高速回転時はＹ結線時の効率ピークからΔ結線時の効率ピーク状態を保持して駆動させることができる。
【００９５】
単純にＹ結線とΔ結線を切替える方法であっても、従来品より低速回転時の効率を向上させることは可能であるが、本実施の形態は、Ｙ結線とΔ結線と中間の動作状態を作り出すことにより効率ピーク状態を保持して駆動させることができるので、より中間速度領域での効率を高めることができる。
【００９６】
また、従来は、高速運転まで動作範囲を確保する必要があるため、図１０に示すＹ結線での効率となるモータ仕様では高速にて回転しなくなるため、製品化できなかったが、高速運転側はΔ結線等価動作状態（前述の手法１）、もしくは逆位相でのＹ結線等価動作状態（手法２）で駆動できるため、従来品と同じ回転数範囲を維持できる。
【００９７】
よって本実施の形態は、従来採用していた独立巻線型電動機３の回転数範囲を狭めることなく、低速回転時には低速回転時の効率が高いモータ、高速回転時には高速回転可能なモータ、２つのモータ特性に線形性を損なうことなく円滑にインバータ２台で変化させることができ、低速から中速回転時の効率を大幅に向上させることができる。
【００９８】
例えば、適用する製品が空気調和機の場合、空気調和機の電気代性能を表示する指標としてＡＰＦ（通年エネルギー消費効率）が存在する。空気調和機の場合、最大回転数で動作することは少なく、室温が設定温度に近づくと、電動機の回転数を低速にして室温が安定するように制御される。そのため、ＡＰＦも低速時の効率が高い方が高い値となり、電気代性能が高くなる。電気代性能が良いことは、地球環境にやさしいことと同義となる。
【００９９】
よって、本実施の形態の電動機制御駆動装置を空気調和機に用いた場合、ＡＰＦを向上させることができる。
【０１００】
さらに、大型の空気調和機には圧縮機を２台に分け、空調能力を低下させたい場合には、動作させる圧縮機を１台に減らして効率を向上させると言う技術がある。本実施の形態は、従来品と同等の性能を維持する場合には、√３倍まで低速側の逆起電圧を増加させることができる。よって、１／√３（＝０．５７７）台運転と同じ状況となり、ほぼ２台中１台を停止し、１台運転していることと等価となる。
【０１０１】
以上より、圧縮機２台構成と同じ空調性能を圧縮機１台構成で実現できる。これにより、２台の場合より冷媒の分岐弁や冷媒油戻り機構などの構造や制御が容易となり、小型、安価で信頼性の高い空気調和機を実現できる。さらに、冷媒の圧縮漏れなどが低減でき、圧縮効率も向上する。
【０１０２】
逆に、従来品と同一巻線仕様とした独立巻線型電動機３とした場合、Δ結線等価動作状態とすれば、従来品より逆起電圧が小さくなるため、高速回転側の回転数範囲を拡大しつつ、低速回転時の効率は従来の巻線仕様のＹ結線と同じ性能を維持できる電動機制御駆動装置を提供できる。
【０１０３】
また、モータ特性は変化しているが、固定子コイル軸と合成出力電圧軸の位相を一意になるよう制御しているため、制御器におけるモータ定数は不変で良く、位置センサレス制御系も直線性を失うことなく実現できる。従って、従来の電動機とインバータを１：１にて構成している制御ブロックを簡単に適用できる。
【０１０４】
本実施の形態は、従来から適用されている負荷トルク脈動に追従して出力トルクを制御することで振動を低減するトルク制御、反対に負荷トルク脈動に応答せず出力トルクを一定にする定トルク制御など、従来制御を簡単にモータ制御を拡張できる利点を有する。
【０１０５】
また、Δ結線等価動作状態から３次高調波重畳することにより、従来の特許文献４と同じ変調率まで歪みが無い電圧を出力でき、さらには過変調運転まで対応可能を実現した。
【０１０６】
さらに、永久磁石電動機の場合、メカニカルな結線切替え方式の場合、一度動作を停止し、再起動する必要があったが、本実施の形態の構成であれば円滑に結線切替えを実現でき、電動機を停止することなく、運転継続でき、結線状態の中間状態での効率も改善することができる。
【０１０７】
特に、食品保蔵用の冷凍庫などに使用される圧縮機の場合、電動機が停止する間に食品が解凍したり傷んだりする可能性もあるため、停止することなく動作することにより、このような課題を解決できる。
【０１０８】
またさらに、コイルに流れる電流を検出しているため、メカニカルなＹ結線とΔ結線切替えを行う場合のΔ結線時には検出不能なコイル電流が検出できる。よって、コイルに流れる電流で過電流による減磁の保護ができ、減磁保護のための過電流遮断レベルは一意に設定できる利点を有する。
【０１０９】
また、図１に示す交直電力変換部２は交流電源１が単相であるため、単相の交流直流電力変換部としているが、図１１に示すように電源が三相交流電源１ｂで、交直電力変換部が三相整流器２ｂであってもインバータ部４、５、およびインバータ２台構成における制御が同一であれば、前述と同等の効果があることは言うまでもない。
【０１１０】
さらに、図１では独立巻線型電動機３の位置センサレス制御のため、その電動機３の電流を検出する手段として、電流検出器６にて記載しているが、この電流検出器６のみで本実施の形態が実現できないわけではなく、例えば、図１に同じく記載している直流シャント抵抗７ａ、７ｂ、７ｃの何れかにて実施してもインバータ２台構成における制御が同一であれば、前述と同等の効果があることは言うまでもない。
【０１１１】
また、電流検出器６として、流れる電流による磁束量を検出する磁気式電流検出器（「ＤＣＣＴ」と呼ぶ）や、１次巻線に電流を流し、２次巻線側に巻数比の誘導電流が流れることで電流を検出するＡＣＣＴで実施しても何ら差異はない。さらに、ＤＣＣＴやＡＣＣＴにおいて、電流検出にオフセットが重畳することも予測されるが、これを独立巻線型電動機３が停止中に補正するように構成しても本実施の形態には何ら影響しないことは言うまでもない。さらに、独立巻線型電動機３が回転中であってもオフセット補正を行ってもよいし、ＡＣＣＴの場合、巻線コアの着磁を除去するように電流を流してから独立巻線型電動機３を駆動するように構成しても問題はない。
【０１１２】
電流検出器６ではなく、直流シャント抵抗７ａ、７ｂ、７ｃによる本実施の形態について説明する。
直流シャント抵抗７ａ、７ｂ、７ｃにて検出可能なコイル電流は、一般的な三相結線電動機を駆動するインバータ１台構成と同様に、電圧ベクトルに対するコイル電流の関係にて直流シャント抵抗の両端で電流が検出できる。その電圧ベクトルとコイル電流の関係は下記の表３に示す通りとなる。なお、表３においてシャント抵抗７ａと７ｂの電圧ベクトルとコイル電流の関係は正負が反転しているが、これはコイル電流の符号を図１に示す電流の矢印方向を正としているためである。
【０１１３】
【表３】
2008219956.tif 000011
【０１１４】
インバータ部４に接続されている直流シャント抵抗７ａのみを用いれば、表３に示すとおり、インバータ部４が出力する電圧ベクトルに対し、コイルに流れる電流が一意に決まる。ＰＷＭの１キャリア中にゼロベクトル以外の異なる電圧ベクトルは少なくとも２個あるため、コイル電流の二相分検出可能となる。従って、直流シャント抵抗７ａが１個あれば、電流検出可能となる。
【０１１５】
次に、インバータ部５に接続されている直流シャント抵抗７ｂについて説明する。インバータ部５のＹ結線等価動作状態は、電圧ベクトルがｖ０およびｖ７のみとなり、ゼロベクトルだけが出力されるため、シャント抵抗７ｂから電流が検出できない。直流シャント抵抗７ｂはＹ結線等価動作状態が検出不可能であるがその動作状態以外は同等の効果を有する。従って、直流シャント抵抗７ｂのみでは電流検出器６の代替はできないし、Ｙ結線等価動作状態を用いない場合、直流シャント抵抗７ｂのみで電流を検出でき独立巻線型電動機３を駆動できるが、前述の低回転時の高効率駆動が実現できなくなる。
【０１１６】
また、直流シャント抵抗７ｃで検出される電流は、図１の回路をみれば明らかのように、直流シャント抵抗７ａと直流シャント抵抗７ｂの合成電流が検出される。直流シャント抵抗７ａの検出電流をＩｄｃ１、直流シャント抵抗７ｂの検出電流をＩｄｃ２とおくと、表３の電圧ベクトルと直流シャント抵抗にて検出されるコイル電流の関係から、直流シャント抵抗７ｃの検出電流ＩｄｃはＩｄｃ＝Ｉｄｃ１＋Ｉｄｃ２で与えられる。
【０１１７】
例えば、インバータ部４にて出力されている電圧ベクトルがＶ５であり、インバータ部５にて出力されている電圧ベクトルがＶ６である場合、直流シャント抵抗７ｃの検出電流Ｉｄｃは、表３の関係より、Ｉｄｃ＝Ｉｄｃ１＋Ｉｄｃ２＝−Ｉｂ＋Ｉａとなり、コイル電流の合成電流として検出される。
【０１１８】
そのため、Ｙ結線等価動作状態の場合、インバータ部５にて出力される電圧ベクトルはゼロベクトルだけであるから、Ｉｄｃ２＝０となり、Ｉｄｃ＝Ｉｄｃ１となる。よって、１キャリア中にゼロベクトルではない２つの異なる電圧ベクトルが存在し、直流シャント抵抗７ｃのみで電流を検出できる。
【０１１９】
次に、Ｙ結線等価動作状態からΔ結線等価動作状態への移行中の直流シャント抵抗にて検出可能な電流について説明する。
インバータ部４の変調率ｖｋ１＝１、θ１は式（４）にて動作し、インバータ部５の変調率ｖｋ２は式（３）、θ２＝１５０度にて動作する。そのため、インバータ部４、５のｄｕｔｙ比率が異なり、図１２に示すように半キャリア中にインバータ部４、５の双方ともゼロベクトルである場合を除き、それ以外の電圧ベクトル時に直流シャント抵抗７ｃの両端にて電流検出が可能となる。なお、図１２の駆動信号はＨｉが上アームＯＮ、Ｌｏが下アームＯＮを示す。
【０１２０】
インバータ部４、５の駆動信号の変化タイミングが同時とはならず、電流検出可能な電圧ベクトルは５回発生し、これら全てでＩｄｃ＝Ｉｄｃ１＋Ｉｄｃ２が成り立つ。よって、従来、三相平衡から三相コイル電流＝０としてＩｄｃからコイル電流を復元するのでなく、三相コイル電流を全て検出できる。従って、直流シャント抵抗７ｃのみで電流検出できるだけではなく、直流シャント抵抗７ｃを用いるとゼロ相電流も検出できる。
【０１２１】
ゼロ相電流は、三相平衡であれば流れないため、独立巻線型電動機３が三相平衡となっていない、コイル間にバラツキがある、もしくは、２台のインバータ部４、５に出力誤差があることを意味する。特許文献２では、ゼロ相電流のため、開閉器を設ける構成を採用していたが、直流シャント抵抗７ｃに流れる電流からゼロ相電流を検出することでゼロ相電流がゼロになるように制御することも可能になる。
【０１２２】
また、直流シャント抵抗７ｃのみの構成におけるΔ結線等価動作状態の場合、インバータ部４、５における出力電圧の位相差は１２０度となるため、ｄｕｔｙ比率は一致し、インバータ部４、５の駆動信号の変化タイミングが同時となる。よって、半キャリア中に電流検出可能な電圧ベクトルは２回あり、従来の１：１のインバータとモータの構成と同じとなる。
【０１２３】
以上より、直流シャント抵抗７ｃのみの構成であっても、コイル電流の二相分の検出可能となり、直流シャント抵抗７ｃが１個あれば、電流検出可能といえる。さらに、Ｙ結線等価動作状態からΔ結線等価動作状態への移行中はゼロ相電流も検出でき、ゼロ相電流がゼロになるように制御することも可能になる。
【０１２４】
なお、図１では電流検出器６および直流シャント抵抗７ａ〜７ｃが記載されているが、これら全てのうち、１つのみが構成されても独立巻線型電動機３のコイル電流が検出できればよく、例えば、電流検出器６と直流シャント抵抗７ｃが構成されていても、本実施の形態が実現できることは言うまでもない。さらに、電流検出器６や直流シャント抵抗７ａ〜７ｃでなくとも独立巻線型電動機３のコイル電流が検出できれば何ら方式を問うものではないことは言うまでもない。
【０１２５】
直流シャント抵抗７ｃのみの構成の場合、Ｙ結線等価動作状態からΔ結線等価動作状態への移行中のゼロ相電流の検出は可能であるが、Ｙ結線等価動作状態でもゼロ相電流が発生する可能性がある。そこで、直流シャント抵抗７ｃと電流検出器６を併用することにより、ゼロ相電流を検出し、ゼロ相電流が流れなくなるように制御する構成としてもよい。
【０１２６】
この場合、直流シャント抵抗７ｃではなく、直流シャント抵抗７ａと電流検出器６との組合せで、ゼロ相電流を検出し、ゼロ相電流が流れなくなるように制御する構成としても何ら問題がないことは言うまでもない。
【０１２７】
また、図１では電流検出器６を三相の独立巻線型電動機３に対し、２個設けているが、これを相数と同じの３個にすればゼロ相電流を検出することが可能になることは言うまでもなく、ゼロ相電流抑制のための検出手段によらず、出力電圧の制御によりゼロ相電流を抑制可能な構成であれば、どのような構成であってもよいことは言うまでもない。
【０１２８】
さらに、ゼロ相電流はインバータ部４、５を循環することで発生する。その循環を抑制するためには、図１３に示すようにダイオードを介してインバータ部４、５を接続すれば良い。ダイオードは逆方向の電流は流れないので、循環電流が抑制され、その結果、ゼロ相電流を抑制できる。図１３は単相整流器にて記載しているが、図１１に示す三相整流器２ｂにて構成しても何ら問題は無い。さらに、図１３におけるコンデンサ８ａ、８ｂを電解コンデンサではなく、小容量のフィルムコンデンサを用いて、電解コンデンサレスとして独立巻線型電動機３を駆動しても、１：１のインバータとモータの構成を同じ動作にて独立巻線型電動機３を駆動することができ、さらには、図１１に示す三相整流器２ｂのコンデンサ８を小容量化しても同等の効果を有する。
【０１２９】
また、本実施の形態は独立巻線型電動機３の駆動制御に関する技術であるが、１：１のインバータとモータの構成で実現できる制御であれば、その制御は簡単に適用できる。例えば、空気調和機に用いられる圧縮機は図１４に示すような１回転中に負荷トルク脈動を有する。この負荷トルク脈動を抑制するようにインバータを制御するトルク脈動抑制制御が実用化されている。従って、本実施の形態は、ｄｑ軸電圧を出力電圧へ座標変換する部分にインバータ２台へ出力電圧を分配する構成であるため、トルク脈動抑制制御が実用化されていれば、そのまま制御を踏襲して、インバータ２台構成へ応用できる。
【０１３０】
上記まで、直流シャント電流検出およびトルク脈動抑制制御について説明し、独立巻線型電動機３の駆動制御に関する技術を説明したが、１：１のインバータとモータの構成で実現できる制御であれば、その制御は簡単に適用できるのであって、その他に電源周波数と電動機周波数が干渉して電動機の電流が脈動するビート現象抑制制御やコンデンサを小容量化するケミコンレス制御などについても同様で、１：１の構成で実現可能な制御構成であれば、本実施の形態に適用することは容易であり、その効果も同等の効果を有する。
【０１３１】
さらに、空気調和機に搭載された圧縮機駆動に適用する場合、前述でＡＰＦ向上や圧縮機２台構成を１台にて実現できる旨を説明したが、圧縮機が１回転中のトルク脈動の小さいスクロール方式の圧縮機であれば、１回転中の電流変動が小さくなるため、電流が流れることにより変動するインダクタンス変化を機械的に抑制しているため、三相平衡状態を機械的に保持でき、ゼロ相電流の抑制制御無しでもゼロ相電流を少なくできる利点がある。
【０１３２】
また、空気調和機のように冷媒を用いる圧縮機ではなく、空気を圧縮するエアコンプレッサーに適用した場合、圧縮工程による熱量の移動が冷媒の圧縮機より少なく、温度で特性が変化する磁石の特性が安定し、これも三相平衡状態を機械的に保持できる。そのため、前記と同様の効果を有する。さらに、空気ではなく、二酸化炭素を圧縮する圧縮機であっても同様の効果を有するだけでなく、オゾン破壊係数が０の自然冷媒であるため、地球環境にやさしい利点も併せて有する。
【０１３３】
さらに、永久磁石電動機として用いている永久磁石は、フェライト磁石を用いているが、これを希土類磁石に変更すると、最大エネルギー積が増加でき、磁力を大きくすることができるため、減磁レベルが向上し、減磁による磁石のバラツキを抑制できる。また、モータ定数である逆起電圧定数φも磁力が高い分だけバラツキを抑えることが容易になる。これにより、三相平衡状態を機械的に保持でき、ゼロ相電流の抑制制御無しでもゼロ相電流を少なくできる。また、磁石に別の粉末を混ぜて生成した永久磁石電動機は、焼結磁石より成形性が上がり、三相間のバラツキを抑制しやすくなるため、ゼロ相電流が流れにくい電動機と言える。
【０１３４】
さらに、前述までの相数は三相であるとして説明してきたが、なにも三相に限ったことではなく、多相でもあっても、磁束軸のベクトルと合成電圧のベクトルの位相関係を一定に保持すれば、本実施の形態が適用できることは言うまでもない。更に言えば、６相までは各相の軸の相差角が６０度以上となり、各巻線に注意せずに適用できる。それ以上の相数の場合、合成電圧が合成前の電圧より小さくならなければ、本実施の形態の効果が適用されることを断っておく。
【０１３５】
以上より、回路構成や電動機の構造、電動機を搭載する機械の構成などにより、循環電流を抑制し、または、各相間のバラツキを抑制して、三相平衡状態を保持することによりゼロ相電流を抑制することもできる。また、ゼロ相電流自体を検出するようにし、各相のバラツキに応じて出力を補正することでもゼロ相電流を抑制することができる。
【０１３６】
また、本実施の形態はインバータ主回路部分が２台の構成となるため、単純には２倍のコストが費やされると思われるが、コイルに流れる電流は、Ｙ結線時とΔ結線時とでは、√３：１となる。そのため、インバータ主回路部分は、１台構成に使用される電流容量の１／√３の電流容量の主回路部分が２台分必要となる。従って、電流容量の大きな製品、例えば、業務用空気調和機やショーケースなど、電流容量を低減でき、安価な民生製品用の部品が使えることもある。この場合、安価な主回路部２台と高価な主回路部１台とのコスト差が本実施の形態のコスト差となり、コストダウンの可能性もあることを付け加えておく。
【産業上の利用可能性】
【０１３７】
本実施の形態の活用例として、位置センサレスが必須となる圧縮機を搭載している空気調和機のほか、冷蔵庫、除湿器、ヒートポンプ式給湯機、ヒートポンプ式乾燥洗濯機、冷凍機、ショーケースが挙げられる。さらには、洗濯乾燥機、洗濯機、掃除機など圧縮機を搭載していない製品でも適用可能であり、ファンモータなどへの適用も可能である。
【図面の簡単な説明】
【０１３８】
【図１】本発明の実施の形態に係る電動機駆動制御装置の構成を示す回路図である。
【図２】本実施の形態を説明するための結線回路図である。
【図３】本実施の形態を説明するための等価回路を示すブロック図である。
【図４】本実施の形態の動作状態を示す電圧ベクトル図である。
【図５】本実施の形態を説明するインバータ１台構成での制御ブロック図である。
【図６】本実施の形態におけるインバータ２台構成で変更する制御ブロック図である。
【図７】本実施の形態における変調率を定義する電圧ベクトル図である。
【図８】本実施の形態における３次高調波重畳を説明するための電圧波形図である。
【図９】本実施の形態における過変調時を説明するための電圧波形図である。
【図１０】本実施の形態における効率曲線図である。
【図１１】本実施の形態における他の交直電力変換部を示す回路ブロック図である。
【図１２】本実施の形態における合成電流のシャント検出を説明するための波形図である。
【図１３】本実施の形態における他の実施の形態を示す回路ブロック図である。
【図１４】本実施の形態におけるトルク脈動を説明するための波形図である。
【符号の説明】
【０１３９】
１  交流電源、２  交直電力変換部、３  独立巻線型電動機、４  第１のインバータ部、５  第２のインバータ部、２１  出力電圧生成部、２２  変調率分配器、２３  位相補償器、２４ａ  第１のインバータ部のための座標変換部、２４ｂ  第２のインバータ部のための座標変換部。
【図１】
2008219956.tif 000012
【図２】
2008219956.tif 000013
【図３】
2008219956.tif 000014
【図４】
2008219956.tif 000015
【図５】
2008219956.tif 000016
【図６】
2008219956.tif 000017
【図７】
2008219956.tif 000018
【図８】
2008219956.tif 000019
【図９】
2008219956.tif 000020
【図１０】
2008219956.tif 000021
【図１１】
2008219956.tif 000022
【図１２】
2008219956.tif 000023
【図１３】
2008219956.tif 000024
【図１４】
2008219956.tif 000025